(57)【特許請求の範囲】
【請求項１】
移動体の状態を示す移動体状態情報及び移動体周囲の環境状態を示す環境状態情報を取得する情報取得手段と、
複数のシーンを組みあわせたシナリオ番号及びシーン番号と、ユーザに提示される提示情報と、上記情報取得手段で取得した移動体状態情報及び環境状態情報を判定するための状態判定情報と、次に提示する提示情報を識別するための次回シナリオ番号及び次回シーン番号とを識別情報により対応づけた情報提示データベースを記憶するデータベース記憶手段と、
上記データベース記憶手段に記憶された提示情報をユーザに提示する情報提示手段と、
上記情報取得手段で取得した移動体状態情報及び環境状態情報と上記データベース記憶手段に記憶された状態判定情報とを比較して上記情報提示手段により提示する提示情報を判定し、提示すると判定した提示情報を上記データベース記憶手段から読み出し、読み出した提示情報を切換提示するように上記情報提示手段を制御すると共に、切換提示した提示情報の識別情報に対応した次回シナリオ番号及び次回シーン番号を次に提示するシナリオ番号及びシーン番号に設定して、次の提示情報を検出し、検出した提示情報を上記データベース記憶手段から読み出し、読み出した提示情報を切換提示するように上記情報提示手段を制御する提示制御手段とを備えることを特徴とする情報提示装置。
【請求項２】
上記データベース記憶手段は、上記情報取得手段で取得した移動体状態情報と比較する判定値情報と、提示すると判定するときの上記情報取得手段で取得した移動体状態情報と判定値情報との関係を示す調整値情報とからなる情報を、上記状態判定情報として記憶し、
上記提示制御手段は、上記情報取得手段で取得した移動体状態情報と判定値情報とを比較し、上記調整値情報で示される関係であると判定したときに上記情報提示手段により提示情報を提示するように制御することを特徴とする請求項１に記載の情報提示装置。
【請求項３】
上記データベース記憶手段は、上記提示情報を提示する優先度を示す優先度情報を識別情報に対応づけて更に記憶し、
上記情報提示手段は、上記優先度情報に基づいて複数の提示情報から一の提示情報を提示すると判定することを特徴とする請求項１又は請求項２に記載の情報提示装置。
【請求項４】
上記データベース記憶手段は、上記情報取得手段からの移動体状態情報に基づいて加算される加算情報と、上記加算情報と比較されるしきい値情報とを識別情報に対応づけて更に記憶し、
上記提示制御手段は、上記加算情報としきい値情報とを比較し、上記情報提示手段により提示する提示情報を判定することを特徴とする請求項１乃至請求項３の何れかに記載の情報提示装置。
【請求項５】
上記データベース記憶手段は、上記提示制御手段により提示すると判定されることに応じて更新されるシステム状態データを識別情報に対応づけて更に記憶し、
上記提示制御手段は、上記システム状態データを参照して、上記情報提示手段により提示する提示情報を判定することを特徴とする請求項１乃至請求項４の何れかに記載の情報提示装置。
【請求項６】
複数のシーンを組みあわせたシナリオ番号及びシーン番号と、ユーザに提示される提示情報と、上記情報取得手段で取得した移動体状態情報及び環境状態情報を判定するための状態判定情報と、次に提示する提示情報を識別するための次回シナリオ番号及び次回シーン番号とを識別情報により対応づけた情報提示データベースを予め作成して記憶しておき、
上記提示情報を用いた提示をする判定をするに際して、
外部から入力した移動体状態情報及び環境状態情報と、上記情報提示データベースに格納された状態判定情報とを比較して提示する提示情報を判定し、提示すると判定した提示情報を上記情報提示データベースから読み出し、読み出した提示情報を用いて切換提示すると共に、
切換提示した提示情報の識別情報に対応した次回シナリオ番号及び次回シーン番号を次に提示するシナリオ番号及びシーン番号に設定して、次の提示情報を検出し、検出した提示情報を上記情報提示データベースから読み出し、読み出した提示情報を用いて切換提示することを特徴とする情報提示方法。
【請求項７】
上記情報提示データベースに、外部からの移動体状態情報と比較する判定値情報と、提示すると判定するときの外部からの移動体状態情報と判定値情報との関係を示す調整値情報とからなる情報を、上記状態判定情報として記憶しておき、
上記提示情報を用いた提示をする判定をするに際して、
外部からの移動体状態情報と判定値情報とを比較し、上記調整値情報で示される関係であると判定したときに提示情報を提示することを特徴とする請求項６に記載の情報提示方法。
【請求項８】
上記情報提示データベースに、上記提示情報を提示する優先度を示す優先度情報を上記識別情報に対応づけて更に記憶しておき、
上記提示情報を用いた提示をする判定をするに際して、
上記優先度情報に基づいて複数の提示情報から一の提示情報を提示すると判定することを特徴とする請求項６又は請求項７に記載の情報提示方法。
【請求項９】
上記情報提示データベースに、外部からの移動体状態情報に基づいて加算される加算情報と、上記加算情報と比較されるしきい値情報とを識別情報に対応づけて更に記憶しておき、
上記提示情報を用いた提示をする判定をするに際して、
上記加算情報としきい値情報とを比較し、提示する提示情報を判定することを特徴とする請求項６乃至請求項８の何れかに記載の情報提示方法。
【請求項１０】
上記情報提示データベースに、提示すると判定されることに応じて更新されるシステム状態データを識別情報に対応づけて更に記憶しておき、
上記提示情報を用いた提示をする判定をするに際して、
上記システム状態データを参照して、提示する提示情報を判定することを特徴とする請求項６乃至請求項９の何れかに記載の情報提示方法。
【発明の詳細な説明】
【０００１】
【発明の属する技術分野】
本発明は、音楽や動画像、交通情報等を、車両状態や場面に応じて検出して車両運転者に提示する情報提示装置及び方法に関する。
【０００２】
【従来の技術】
近年、車両に搭載されている情報提供装置としては例えばＭＰ３（MPEG（Moving Picture Experts Group）-1 Audio Layer-III）プレーヤ、ＣＤ（Compact Disc）プレーヤ、ＤＶＤ（Digital Video Disc／Digital Versatile Disc）プレーヤ、ＭＤ（Mini Disc）プレーヤ、ラジオ等があり、車両運転者に提示する情報が多様化している。そこで、車両運転者に情報を正確に理解させるために、タイミング良く、且つ車両運転者の安全を考慮し、更には車両運転手の嗜好に合った情報提供をすることが望まれている。
【０００３】
このような情報提供を目的とした従来の技術としては、車両が走行している地域に応じて音楽を切り換える情報提供装置がある。この情報提供装置は、ラジオ放送をしているときに携帯電話等の着信が発生すると放送を中止して再度ラジオ放送に復帰する処理、音楽放送をしているときに曲の演奏中で中断したときにその曲の先頭から演奏開始する処理、携帯電話の着信が発生すると経路誘導をする音量を下げる処理などを行っていた。
【０００４】
【発明が解決しようとする課題】
しかしながら、従来の情報提供装置において、情報提供する順番を規定した多種の情報を含むシナリオを、様々な状態に応じて切り換えることはなされていなかった。
【０００５】
また、多種の情報を車両運転者に正確に理解させるためのタイミング、車両運転者の安全、車両運転者の嗜好を満たした情報提供装置が実現されていないのが現状である。このような情報提供装置を実現するためには、複雑なプログラムを作成する必要があった。
【０００６】
そこで、本発明は、上述した実情に鑑みて提案されたものであり、多種の情報を様々な状態に応じて情報提示をすることができる情報提示装置及び方法を提供するものである。
【０００７】
【課題を解決するための手段】
上述の課題を解決するために、請求項１に係る発明では、移動体の状態を示す移動体状態情報及び移動体周囲の環境状態を示す環境状態情報を取得する情報取得手段と、複数のシーンを組みあわせたシナリオ番号及びシーン番号と、ユーザに提示される提示情報と、上記情報取得手段で取得した移動体状態情報及び環境状態情報を判定するための状態判定情報と、次に提示する提示情報を識別するための次回シナリオ番号及び次回シーン番号とを識別情報により対応づけた情報提示データベースを記憶するデータベース記憶手段と、上記データベース記憶手段に記憶された提示情報をユーザに提示する情報提示手段と、上記情報取得手段で取得した移動体状態情報及び環境状態情報と上記データベース記憶手段に記憶された状態判定情報とを比較して上記情報提示手段により提示する提示情報を判定し、提示すると判定した提示情報を上記データベース記憶手段から読み出し、読み出した提示情報を切換提示するように上記情報提示手段を制御すると共に、切換提示した提示情報の識別情報に対応した次回シナリオ番号及び次回シーン番号を次に提示するシナリオ番号及びシーン番号に設定して、次の提示情報を検出し、検出した提示情報を上記データベース記憶手段から読み出し、読み出した提示情報を切換提示するように上記情報提示手段を制御する提示制御手段とを備えることを特徴とする。
【０００８】
請求項２に係る発明では、請求項１の発明であって、上記データベース記憶手段は、上記情報取得手段で取得した移動体状態情報と比較する判定値情報と、提示すると判定するときの上記情報取得手段で取得した移動体状態情報と判定値情報との関係を示す調整値情報とからなる情報を、上記状態判定情報として記憶し、上記提示制御手段は、上記情報取得手段で取得した移動体状態情報と判定値情報とを比較し、上記調整値情報で示される関係であると判定したときに上記情報提示手段により提示情報を提示するように制御することを特徴とする。
【０００９】
請求項３に係る発明では、請求項１又は請求項２の発明であって、上記データベース記憶手段は、上記提示情報を提示する優先度を示す優先度情報を識別情報に対応づけて更に記憶し、上記情報提示手段は、上記優先度情報に基づいて複数の提示情報から一の提示情報を提示すると判定することを特徴とする。
【００１０】
請求項４に係る発明では、請求項１乃至請求項３の発明であって上記データベース記憶手段は、上記情報取得手段からの移動体状態情報に基づいて加算される加算情報と、上記加算情報と比較されるしきい値情報とを識別情報に対応づけて更に記憶し、上記提示制御手段は、上記加算情報としきい値情報とを比較し、上記情報提示手段により提示する提示情報を判定することを特徴とする。
【００１１】
請求項５に係る発明では、請求項１乃至請求項４の発明であって、上記データベース記憶手段は、上記提示制御手段により提示すると判定されることに応じて更新されるシステム状態データを識別情報に対応づけて更に記憶し、上記提示制御手段は、上記システム状態データを参照して、上記情報提示手段により提示する提示情報を判定することを特徴とする。
【００１２】
上述の課題を解決するために、請求項６に係る発明では、複数のシーンを組みあわせたシナリオ番号及びシーン番号と、ユーザに提示される提示情報と、上記情報取得手段で取得した移動体状態情報及び環境状態情報を判定するための状態判定情報と、次に提示する提示情報を識別するための次回シナリオ番号及び次回シーン番号とを識別情報により対応づけた情報提示データベースを予め作成して記憶しておく。そして、請求項６に係る発明では、上記提示情報を用いた提示をする判定をするに際して、外部から入力した移動体状態情報及び環境状態情報と、上記情報提示データベースに格納された状態判定情報とを比較して提示する提示情報を判定し、提示すると判定した提示情報を上記情報提示データベースから読み出し、読み出した提示情報を用いて切換提示すると共に、切換提示した提示情報の識別情報に対応した次回シナリオ番号及び次回シーン番号を次に提示するシナリオ番号及びシーン番号に設定して、次の提示情報を検出し、検出した提示情報を上記情報提示データベースから読み出し、読み出した提示情報を用いて切換提示する。
【００１３】
請求項７に係る発明では、請求項６の発明であって、上記情報提示データベースに、外部からの移動体状態情報と比較する判定値情報と、提示すると判定するときの外部からの移動体状態情報と判定値情報との関係を示す調整値情報とからなる情報を、上記状態判定情報として記憶しておき、上記提示情報を用いた提示をする判定をするに際して、外部からの移動体状態情報と判定値情報とを比較し、上記調整値情報で示される関係であると判定したときに提示情報を提示することを特徴とする。
【００１４】
請求項８に係る発明では、請求項６又は請求項７の発明であって、上記情報提示データベースに、上記提示情報を提示する優先度を示す優先度情報を識別情報に対応づけて更に記憶しておき、上記提示情報を用いた提示をする判定をするに際して、上記優先度情報に基づいて複数の提示情報から一の提示情報を提示すると判定することを特徴とする。
【００１５】
請求項９に係る発明では、請求項６乃至請求項８の発明であって、上記情報提示データベースに、外部からの移動体状態情報に基づいて加算される加算情報と、上記加算情報と比較されるしきい値情報とを識別情報に対応づけて更に記憶しておき、上記提示情報を用いた提示をする判定をするに際して、上記加算情報としきい値情報とを比較し、提示する提示情報を判定することを特徴とする。
【００１６】
請求項１０に係る発明では、請求項６乃至請求項９の発明であって、上記情報提示データベースに、提示すると判定されることに応じて更新されるシステム状態データを識別情報に対応づけて更に記憶しておき、上記提示情報を用いた提示をする判定をするに際して、上記システム状態データを参照して、提示する提示情報を判定することを特徴とする。
【００１７】
【発明の効果】
請求項１に係る発明によれば、データベース記憶手段により複数のシーンを組みあわせたシナリオ番号及びシーン番号と、ユーザに提示される提示情報と、情報取得手段で取得した移動体状態情報及び環境状態情報を判定するための状態判定情報と、次に提示する提示情報を識別するための次回シナリオ番号及び次回シーン番号とを識別情報により対応づけた情報提示データベースを記憶し、現在の移動体状態情報及び環境状態情報と記憶した状態判定情報とを比較して提示する提示情報を判定して読み出し、読み出した提示情報を切換提示すると共に、次回シナリオ番号及び次回シーン番号に従って提示情報を検出して読み出し、読み出した提示情報を切換提示するので、様々な情報を提示するに際して複雑なプログラムを実装して複雑な処理を行う必要が無く、情報提示データベースを参照した簡単な処理を行って、様々な状態に応じて異なる情報提示をすることができる。
【００１８】
請求項２に係る発明によれば、現在の移動体状態情報と判定値情報とを比較し、調整値情報で示される関係であると判定したときに提示情報を提示するので、請求項１の発明の効果に加えて、移動体状態情報と記憶した判定値情報との大小関係を調整値情報により設定するで様々な条件を設定することができる。
【００１９】
請求項３に係る発明によれば、優先度情報に基づいて複数の提示情報から一の提示情報を提示すると判定するので、請求項１の発明の効果に加えて、複数の条件文を検出した場合であっても、優先度に従って一の条件文を選択することができ、特定の情報を優先的に提示することができる。
【００２０】
請求項４に係る発明によれば、加算情報としきい値情報とを比較して提示する提示情報を判定するので、請求項１の発明の効果に加えて、特定の状態が継続した場面において特定の情報を最適なタイミングで提示することができる。
【００２１】
請求項５に係る発明によれば、システム状態データを参照して提示する提示情報を判定するので、請求項１の発明の効果に加えて、ある提示情報を用いた提示をしている最中に特定の提示した後の次の提示内容を任意に調整することができ、繰り返し提示又は切換提示する内容を調整することができる。
【００２２】
請求項６に係る発明では、提示情報を用いた提示をする判定をするに際して、外部から入力した移動体状態情報及び環境状態情報と、予め記憶した状態判定情報とを比較して提示する提示情報を判定し、提示すると判定した提示情報を情報提示データベースから読み出して提示情報を用いて切換提示すると共に、切換提示した提示情報の識別情報に対応した次回シナリオ番号及び次回シーン番号に従って提示情報を検出して提示情報を情報提示データベースから読み出して提示情報を用いて切換提示するので、様々な情報を提示するに際して複雑なプログラムにより複雑な処理を行う必要が無く、情報提示データベースを参照した簡単な処理を行って、様々な状態に応じて異なる情報提示をすることができる。
【００２３】
請求項７に係る発明によれば、提示情報を用いた提示をする判定をするに際して、外部からの移動体状態情報と予め記憶した判定値情報とを比較し、予め記憶した調整値情報で示される関係であると判定したときに提示情報を提示するので、請求項６の発明の効果に加えて、移動体状態情報と記憶した判定値情報との関係を調整値情報により設定するで様々な条件を設定することができる。
【００２４】
請求項８に係る発明によれば、提示情報を用いた提示をする判定をするに際して、予め記憶した優先度情報に基づいて複数の提示情報から一の提示情報を提示すると判定するので、請求項６の発明の効果に加えて、複数の条件文を検出した場合であっても、優先度に従って一の条件文を選択することができ、特定の情報を優先的に提示することができる。
【００２５】
請求項９に係る発明によれば、更新した加算情報としきい値情報とを比較し、提示する提示情報を判定するので、請求項６の発明の効果に加えて、特定の状態が継続した場面において特定の情報を最適なタイミングで提示することができる。
【００２６】
請求項１０に係る発明によれば、システム状態データを参照して提示する提示情報を判定するので、請求項６の発明の効果に加えて、ある提示情報を用いた提示をしている最中に特定の提示した後の次の提示内容を任意に調整することができ、繰り返し提示又は切換提示する内容を調整することができる。
【００２７】
【発明の実施の形態】
以下、本発明の実施の形態について図面を参照して説明する。
【００２８】
本発明は、例えば図１に示すように構成された情報提供装置に適用される。この情報提供装置は、車両内に設けられ、表示部５、音響出力部６及び操作入力部７が車室内に露呈して構成されている。また、この情報提供装置は、ディスク状記録媒体やテープ状記録媒体が車両運転者により挿入されて、記録媒体に記憶された情報を読み出す記録媒体再生機構を備えていても良い。
【００２９】
［情報提供装置の構成］
この情報提供装置は、図１に示すように、センサとして設けられる位置検出部１及び速度検出部２、ユーザに提示する提示データ等を記憶するデータベース記憶部３、データベース記憶部３に記憶された提示データを検出する処理をする情報提示判定部４、提示データを車両運転者に提示する表示部５及び音響出力部６を備える。また、この情報提供装置は、車両運転者の運転操作や装置の起動スイッチの操作、イグニッションスイッチの操作などがされる操作入力部７を備える。
【００３０】
位置検出部１は、図示しないＧＰＳ（global positioning system）アンテナを備え、測位用衛星から発信される電波を受信する。この位置検出部１は、受信した電波により移動体（車両）の現在位置を取得し、現在位置を示すセンサ情報として情報提示判定部４に出力する。
【００３１】
速度検出部２は、図示しない車速センサと接続され、車速センサからの信号に基づいて移動体の速度を検出し、車両速度を示すセンサ情報として情報提示判定部４に出力する。
【００３２】
操作入力部７は、車両を起動させるときに操作されるイグニッションスイッチや情報提供装置を起動させるときに操作される起動スイッチ等で構成されている。この操作入力部７は、車両運転者の操作内容に従った操作入力信号を情報提示判定部４に出力する。
【００３３】
表示部５は、例えば液晶ディスプレイからなり、表示画面が車両運転者から視認可能な位置に設けられ、情報提示判定部４からの提示データを用いて表示をする。音響出力部６は、スピーカからなり、情報提示判定部４からの提示データを用いて音響出力する。
【００３４】
データベース記憶部３は、例えば大容量の情報を記憶するための記憶媒体からなる。このデータベース記憶部３は、情報提示するための条件を示す条件文情報と、表示部５又は音響出力部６により情報提示される提示データとが条件文番号（ＩＤ情報）により対応づけられた情報提示データベースを記憶している。なお、このデータベース記憶部３に記憶されている情報提示データベースの詳細な構成については後述する。
【００３５】
情報提示判定部４は、位置検出部１、速度検出部２及び操作入力部７と接続された入力部１１、演算部１２、データベース記憶部３と接続された判定部１３、表示部５及び音響出力部６と接続された提示処理部１４を備える。
【００３６】
入力部１１は、位置検出部１、速度検出部２及び操作入力部７に対する情報提示判定部４のインターフェースとして機能する。入力部１１は、位置検出部１から車両の現在位置を示すセンサ情報を入力すると共に、速度検出部２から車両速度を示すセンサ情報を入力し、操作入力部７から操作入力信号を入力する。
【００３７】
この入力部１１は、入力した車両の現在位置、車両速度を示すセンサ情報及び操作入力信号を後段の演算部１２で処理可能な信号形態に変換し、現在位置情報及び速度情報として演算部１２に出力する。入力部１１は、例えば車両の現在位置、車両速度及び操作入力信号を電圧変化にて入力した場合には、後段の演算部１２でディジタル処理を行うことができるディジタル形式の数値データに変換する。
【００３８】
演算部１２は、入力部１１により変換された現在位置情報及び速度情報を入力する。演算部１２は、現在位置情報に基づいて移動体周辺の環境状態である場面を判定して場面情報を生成して判定部１３に出力する。具体的には、演算部１２は、現在位置情報と図示しないナビゲーションシステムによる経路設定情報とから、車両周囲の環境（場面）が乗車直後、通常、海辺、高速走行、到着前などであるかを判定して場面情報を生成する。また、演算部１２は、速度情報を判定部１３に出力する。
【００３９】
判定部１３は、演算部１２から出力された場面情報及び速度情報を入力する。判定部１３は、入力した場面情報、速度情報と、現在の条件文情報とに基づいてデータベース記憶部３に記憶した情報提示データベースを参照して、次に車両運転者に提示する提示データを判定する。この判定部１３は、判定した提示データをデータベース記憶部３から読み出して判定結果として提示処理部１４に出力する。なお、この判定部１３の詳細な提示データ判定処理の処理内容については後述する。
【００４０】
提示処理部１４は、判定部１３から出力された提示データを表示部５又は音響出力部６で表示処理又は音響出力処理可能な形態に変換し、表示部５又は音響出力部６に出力する。
【００４１】
「情報提示データベースの構成」
図２に、データベース記憶部３に記憶された情報提示データベースの構成を示す。図２によれば、情報提示データベースには、条件文番号（ＩＤ情報）ごとに、優先度情報、現在加算データ、加算データ、シナリオ番号情報、シーン番号情報、次回シナリオ番号情報、次回シーン番号情報、システム状態情報、第１のセンサー情報としての場面情報、第２のセンサー情報としての速度情報、提示内容を示す提示データ、システム状態設定情報が格納されている。
【００４２】
条件文番号情報は、図２に示す場合において、数値「１」〜数値「２９」の条件文番号が設けられ、条件文番号ごとに異なった内容の優先度情報、現在加算データ、加算データ、シナリオ番号情報、シーン番号情報、次回シナリオ番号情報、次回シーン番号情報、システム状態情報、場面情報、速度情報、提示データ、システム状態設定情報を対応づけている。
【００４３】
これらの優先度情報、現在加算データ、加算データ、シナリオ番号情報、シーン番号情報、次回シナリオ番号情報、次回シーン番号情報、システム状態情報、場面情報、速度情報及びシステム状態設定情報は、次に提示する提示データを判定するに際して判定部１３により参照される条件文を示す条件文情報である。
【００４４】
優先度情報は、各提示データごとに提示する優先順位を示し、判定部１３により複数の提示データを提示すると判定された場合に参照される。図２に示す場合において、優先度情報は、「Ａ」が最も優先順位が高いことを示し、「Ｂ」、「Ｃ」となるほど優先順位が低くなることを示す。
【００４５】
現在加算データは、車両が走行するに従って加算されるデータである。この現在加算データは、例えば速度情報に基づいて所定速度以上の速度で走行している状態が、所定時間継続したという条件が成立したことに応じて判定部１３により加算されて更新される。具体的には、この現在加算データは、車両が１２０［ｋｍ／ｈ］以上の速度で走行している状態が１秒継続するごとに加算されて更新される。
【００４６】
加算データは、予め設定された値であり、各条件文ごとに異なる値がしきい値として設定される。この加算データは、随時更新される現在加算データとの比較対象となる。
【００４７】
シナリオ番号情報は、各提示データにより表示部５又は音響出力部６により車両運転者に提示するシーンを複数組み合わせてなり、シーンの提示順序を規定したシナリオの番号を示す。このシナリオ番号情報は、現在のシナリオに拘わらず無条件に提示データを用いた提示を行うシナリオについては数値「−１」に設定される。このシナリオ番号情報は、予め設定されて各条件文ごとに記憶される。
【００４８】
シーン番号情報は、各提示データを用いて表示部５又は音響出力部６により車両運転者に提示するシーンの番号を示す。このシーン番号情報は、現在のシーンに拘わらず無条件に提示データを用いた提示を行うシーンについては数値「−１」に設定される。このシーン番号情報は、予め設定されて各条件文ごとに記憶される。
【００４９】
次回シナリオ番号情報は、あるシナリオの次に提示するシナリオの番号を示す。この次回シナリオ番号情報は、シナリオを構成する前回のシーンを車両運転者に提示した後に判定部１３により参照される。このシナリオ番号情報は、予め設定されて各条件文ごとに記憶される。
【００５０】
次回シーン番号情報は、あるシーンを提示した後の次に提示するシーンの番号を示す。この次回シーン番号情報は、前回のシーンを車両運転者に提示した後に判定部１３により参照される。このシーン番号情報は、予め設定されて各条件文ごとに記憶される。
【００５１】
システム状態情報は、図２に示す場合において、数値「−１」と数値「１」とで区別して設定される。このシステム状態情報は、システム状態に拘わらず無条件に提示データを用いた提示を行うときには数値「−１」に設定され、それ以外の場合には数値「１」に設定されている。このシステム状態情報は、予め設定されて各条件文ごとに記憶される。
【００５２】
場面情報は、各条件文ごとの提示データを提示するのに望ましい場面を示す情報である。この場面情報は、各条件文ごとに判定値として表現されて予め設定され、判定部１３により演算部１２で生成した場面情報と比較される。
【００５３】
この場面情報は、本例において、乗車直後の場面を判定値「１０」で表現し、海辺の場面を判定値「３０」で表現し、高速走行の場面を判定値「４０」で表現し、到着前の場面を判定値「５０」で表現し、交差点の場面を判定値「６０」で表現し、その他の通常の場面を判定値「２０」で表現している。また、場面情報は、場面に拘わらず提示データを提示する条件文については判定値「−１」が設定されている。
【００５４】
速度情報は、各条件文ごとの提示データを提示するのに望ましい車両速度を示す情報である。この速度情報は、実際の車両速度に対応した数値で表現される判定値と、調整値とから構成されている。なお、本例では、情報提示データベースに格納される速度情報として判定値と調整値との２つのカテゴリーを設けているが、判定値のみであっても良く、判定値に幅を持たせても良い。
【００５５】
判定値は、調整値が設定されていない場合において、現在の車両速度に拘わらず提示データを提示する条件文については数値「−１」が設定される。また、判定値は、現在の車両速度に応じて提示データを提示する条件文については数値「０」以上の値であって、演算部１２により生成した速度情報と比較する数値が設定されている。
【００５６】
調整値は、演算部１２により生成した速度情報と判定値とを比較して提示データを提示するか否かを判定部１３により判定するに際して、提示データを提示すると判定するときの、演算部１２により生成した速度情報と判定値との大小関係を数値で表現したものである。
【００５７】
調整値は、現在の車両速度に拘わらず提示データを提示する条件文については数値「−１」が設定されている。また、調整値は、演算部１２により生成した速度情報との差の絶対値が、判定値と同値又は小さいとき（｜車両速度−調整値｜≦判定値）に提示データを提示すると判定する条件文については数値「０」以上の値が設定されている。更に、調整値は、演算部１２により生成した速度情報が判定値と同値又は小さいとき（車両速度≦判定値）に提示データを提示する条件文については数値「−２」が設定されている。更にまた、調整値は、演算部１２により生成した速度情報が判定値と同値又は大きいとき（車両速度≧判定値）に提示データを提示する条件文については数値「−３」が設定されている。更にまた、調整値は、演算部１２により生成した速度情報が判定値と同値でないとき（車両速度＜＞判定値）に提示データを提示する条件文については数値「−４」が設定されている。
【００５８】
具体的には、ある条件文について判定値が数値「３０」と設定され、調整値が数値「−３」と設定された場合では、演算部１２により生成した速度情報（現在の車両速度）が３０［ｋｍ／ｈ］と同値であるとき又は３０［ｋｍ／ｈ］よりも大きいときに提示データを提示すると判定する（現在の車両速度≧３０［ｋｍ／ｈ］）。
【００５９】
提示データは、各条件文ごとに設けられ、条件文番号に対応した上述の条件が成立したことに応じて判定部１３により読み出されて提示処理部１４に出力される。この提示データは、上述の各シーンを提示するデータである。
【００６０】
システム状態設定情報は、ユーザにより設定される値であって、ユーザにより提示データの提示が許可されていない条件文については数値「１」に設定され、ユーザにより提示データの提示が許可されている条件文については数値「０」に設定されている。また、このシステム状態設定情報は、判定部１３により提示済と判定された場合に数値「１」に設定される。更に、このシステム状態設定情報は、演算部１２から判定部１３に入力する場面情報が変更したときに、判定部１３により数値「０」に設定される。
【００６１】
［情報提供装置の処理］
つぎに、上述した情報提供装置により車両運転者に情報を提示するときの処理手順を図３を参照して説明する。
【００６２】
図３によれば、操作入力部７を構成する情報提供装置の起動スイッチ又は車両のイグニッションスイッチが車両運転者に操作されることに応じて、情報提供装置を起動してステップＳ１以降の処理を開始し、以降において例えば所定期間毎にステップＳ１〜ステップＳ７の処理を繰り返し実行する。
【００６３】
ステップＳ１において、情報提供装置が起動すると、判定部１３により、データベース記憶部３に格納された全ての条件文についての現在加算データを「０」に初期化して、ステップＳ２に処理を進める。
【００６４】
ステップＳ２において、位置検出部１により車両の現在位置を示すセンサー情報を検出すると共に、速度検出部２により車両速度を示すセンサー情報を検出してステップＳ３に処理を進める。
【００６５】
ステップＳ３において、ステップＳ２で位置検出部１及び速度検出部２により検出したセンサー情報を情報提示判定部４の入力部１１により入力し、現在位置情報及び速度情報として演算部１２に出力してステップＳ４に処理を進める。
【００６６】
ステップＳ４において、演算部１２により、ステップＳ３で入力した現在位置情報を用いて場面情報に変換し、場面情報及び速度情報を判定部１３に出力して、ステップＳ５に処理を進める。
【００６７】
ステップＳ５において、ステップＳ４で演算部１２により演算して得た場面情報及び速度情報と、情報提示データベースに含まれる条件文とに基づいて提示する提示データを判定部１３により判定した判定結果を生成して、ステップＳ６に処理を進める。なお、この判定部１３による提示データ判定処理の詳細については後述する。
【００６８】
ステップＳ６において、ステップＳ５で判定部１３により提示すると判定した条件文の提示データを提示処理部１４から表示部５及び／又は音響出力部６に出力して、提示データを車両運転者に提示してステップＳ７に処理を進める。これにより、情報提供装置では、ステップＳ５での判定結果に従った画像、警報、音楽、音声等を表示部５又は音響出力部６により車両運転者に提示する。
【００６９】
ステップＳ７において、例えば車両のエンジン停止操作や停止スイッチ操作等が操作入力部７を使用して行われたか否かを判定することにより、情報提供装置の動作を終了させるか否かを判定し、動作を終了させないときには再度ステップＳ２に処理を戻す。
【００７０】
このような処理をする情報提供装置によれば、ステップＳ２からステップＳ６までの処理を、例えば所定時間ごとに行うことにより、車両位置や車両速度が変化したことに応じてステップＳ５で異なる提示データを提示すると判定してステップＳ６で切換提示又は繰り返し提示を行うことができる。
【００７１】
「提示データ判定処理」
つぎに、上述したステップＳ５における提示データ判定処理の処理手順について図４を参照して説明する。図４によれば、上述のステップＳ４において演算部１２から場面情報及び速度情報が入力されることに応じて、判定部１３によりステップＳ１１以降の処理を開始する。
【００７２】
ステップＳ１１では、判定部１３により、以降の判定処理において処理対象として保持する条件文番号の初期化（条件文番号＝０）をして、ステップＳ１２に処理を進める。
【００７３】
ステップＳ１２では、判定部１３により、処理対象として保持している条件文番号の条件文情報を、データベース記憶部３の情報提示データベースから読み出すことで取得して、ステップＳ１３に処理を進める。なお、情報提供装置の起動直後の提示データ判定処理においては、初期設定として、条件文番号「１」、シナリオ番号「１」、シーン番号「１」を処理対象として判定部１３により保持しているものとする。
【００７４】
ステップＳ１３では、判定部１３により、ステップＳ１２で取得した条件文に含まれるシナリオ番号情報及びシーン番号情報と、後述のステップＳ２７で次に提示するシナリオ番号及びシーン番号として設定されている数値とが一致する場合、又は現在のシナリオ及びシーンに拘わらず無条件に提示をする数値「−１」が設定されている場合には、処理をステップＳ１４に進める。一方、ステップＳ１２で取得した条件文に含まれるシナリオ番号情報及びシーン番号情報と、後述のステップＳ２７で次に提示するシナリオ番号及びシーン番号として設定されている数値とが一致しない場合にはステップＳ２３に処理を進める。
【００７５】
ステップＳ１４では、判定部１３により、ステップＳ１２で取得した条件文に含まれるシステム状態情報とシステム状態設定情報とを比較して数値が一致した場合、又はシステム状態に拘わらず無条件に提示データを提示することを示す数値「−１」がシステム状態情報として設定されている場合には、処理をステップＳ１５に進める。一方、ステップＳ１２で取得した条件文に含まれるシステム状態情報とシステム状態設定情報との数値が一致しない場合には、処理をステップＳ２３に処理を進める。
【００７６】
ステップＳ１５では、判定部１３により、ステップＳ１２で取得した条件文に含まれる場面情報と、ステップＳ４で入力した場面情報とが一致している場合、又は場面情報に拘わらず無条件に提示データを提示することを示す数値「−１」が設定されている場合には、処理をステップＳ１６に進める。一方、ステップＳ１２で取得した条件文に含まれる場面情報と、ステップＳ４で入力した場面情報とが一致しない場合にはステップＳ２３に処理を進める。
【００７７】
ステップＳ１６では、判定部１３により、ステップＳ１２で取得した条件文に含まれる調整値に従った判定値と速度情報との大小関係と、判定値とステップＳ４で入力した速度情報との大小関係とが一致している場合、又は速度情報に拘わらず無条件に提示データを提示することを示す数値「−１」が調整値として設定されている場合には、処理をステップＳ１７に進める。一方、ステップＳ１２で取得した条件文に含まれる調整値に従った大小関係と、判定値とステップＳ４で入力した速度情報との大小関係とが一致していない場合にはステップＳ２３に処理を進める。
【００７８】
ステップＳ１７では、判定部１３により、例えば速度情報に基づいてステップＳ１２で取得した条件文の現在加算データを加算して更新する処理をして、ステップＳ１８に処理を進める。
【００７９】
ステップＳ１８では、判定部１３により、ステップＳ１７で加算して得た現在加算データが、予め加算データとして設定したしきい値よりも大きいか否かを判定する。現在加算データが、しきい値よりも大きいときにはステップＳ１９に処理を進め、大きくないときにはステップＳ２３に処理を進める。ここで、しきい値は、現在加算データにより提示データを提示する必要があると判定するための値が設定されている。
【００８０】
ステップＳ１９では、判定部１３により、複数の条件文についてステップＳ１２〜ステップＳ１８の処理を行った結果、ステップＳ１３、ステップＳ１４、ステップＳ１５、ステップＳ１６及びステップＳ１８の判定処理で「ｙｅｓ」と判定した他の条件文が存在するか否かを判定し、他の条件文を検出したときにはステップＳ２０に処理を進め、他の条件文を検出していないと判定したときにはステップＳ２３に処理を進める。
【００８１】
ステップＳ２０では、判定部１３により、ステップＳ１２で取得して現在処理対象となっている条件文の優先度情報と、ステップＳ１９で以前に検出された他の条件文の優先度情報とを比較し、現在処理対象となっている条件文の優先度が他の条件文の優先度よりも高いときにはステップＳ２１に処理を進め、高くないときにはステップＳ２３に処理を進める。
【００８２】
ステップＳ２１では、判定部１３により、ステップＳ２０で優先度が高いと判定された現在処理対象になっている条件文の条件文番号を、提示する条件文の条件文番号に変更してステップＳ２３に処理を進める。
【００８３】
ステップＳ２３では、判定部１３により、現在処理対象となっている条件文について上述の処理を行った結果、次の条件文番号の条件文が存在するか否かを判定し、存在するときには次の条件文番号を指定してステップＳ１２に処理を戻し、存在しないときにはステップＳ２４に処理を進める。
【００８４】
これにより、判定部１３により、処理対象となる条件文番号を順次更新してステップＳ１２以降の処理を繰り返し行うことにより、情報提示データベースに含まれる全条件文についてステップＳ１２以降の処理を行って、提示する提示データを含む条件文番号を取得する。
【００８５】
ステップＳ２４では、判定部１３により、ステップＳ２１で提示する条件文番号とされた条件文が存在するか否かを判定することで、提示データを用いて情報提示をするか否かを判定する。情報提示をする条件文番号が存在するときにはステップＳ２５に処理を進め、情報提示をする条件文番号が存在しないときには処理を終了する。
【００８６】
ステップＳ２５では、ステップＳ２４で判定部１３により提示すると判定した条件文に含まれる提示データをデータベース記憶部３から読み出して提示処理部１４に判定結果として出力する。これに応じて提示処理部１４により、入力した提示データを用いて表示部５又は音響出力部６で情報提示を実行させてステップＳ２６に処理を進める。
【００８７】
ステップＳ２６では、判定部１３により、ステップＳ２５で提示した提示データを含む条件文のシステム状態情報を、条件文番号で対応したシステム状態設定情報に変更する処理をして、ステップＳ２７に処理を進める。すなわち、提示データを提示するごとに、システム状態をシステム設定状態情報の数値に変更する処理をする。
【００８８】
ステップＳ２７では、判定部１３により、ステップＳ２５で提示した条件文に含まれる次回シナリオ番号情報及び次回シーン番号情報を参照して、次に提示するシナリオ番号及びシーン番号に設定して、ステップＳ２８に処理を進める。
【００８９】
ステップＳ２８では、判定部１３により、ステップＳ２５で提示した条件文に含まれる現在加算データを初期化（＝０）して、処理を終了する。
【００９０】
このような提示データ判定処理は、図３におけるステップＳ１〜ステップＳ７の処理が繰り返し行われることで、判定部１３で判定する判定結果に応じた情報の繰り返し提示、切換提示をすることができる。
【００９１】
［情報提供装置による情報提示例］
つぎに、上述したように処理を行う情報提供装置により車両運転者に情報を提示するときの一例について、図５及び図２の情報提示データベースの内容を参照して説明する。なお、図５に示す一例では、予めナビゲーションシステムにより経路設定がなされ、経路設定に従って車両が走行することにより、乗車直後、通常走行、海辺走行、高速走行、通常走行、目的地の到着前の順に場面が遷移するものとして説明する。
【００９２】
図５によれば、先ず、時刻ｔ１において車両運転者が乗車して情報提供装置の起動スイッチ又はイグニッションスイッチが操作されてシステムが起動すると、提示データ判定処理（ステップＳ５、ステップＳ１１〜ステップＳ２８）を判定部１３により行うことにより、条件文番号「１」の乗車後すぐの語りかけを表示部５及び音響出力部６により提示する（ステップＳ３１）。ここで、初期設定として、条件文番号「１」、シナリオ番号「１」、シーン番号「１」が設定されているものとする。
【００９３】
そして、乗車後すぐの語りかけを終了すると、ステップＳ２７の処理を行うことにより条件文番号「１」の次回シナリオ番号「１」及び次回シーン番号「２」を次に提示するシナリオ番号及びシーン番号にする。次いで、ステップＳ１２でシナリオ番号「１」及びシーン番号「２」の条件文番号「２」の条件文に含まれる交通情報を提示する（ステップＳ３２）。
【００９４】
次に、時刻ｔ２において演算部１２から場面が通常運転であることを示す場面情報を判定部１３により入力し、場面が乗車直後から通常走行に遷移する。これに応じて、ステップＳ１５の判定処理を判定部１３により行うことで通常走行の場面の場面情報に設定された条件文番号「３」を検出する。次いで、条件文番号「３」の次回シナリオ番号「２」及び次回シーン番号「１」から条件文番号「７」を判定部１３により検出することで、通常の語りかけを提示する（ステップＳ３３）。次いで、条件文番号「７」に含まれる次回シナリオ番号「２」及び次回シーン番号「２」から、判定部１３により条件文番号「８」を検出して通常の曲「１」を提示する（ステップＳ３４）。
【００９５】
通常走行のシナリオに含まれるシーンの通常の曲「１」を提示している最中であって、時刻ｔ３で演算部１２からの速度情報により車両速度が１２０［ｋｍ／ｈ］以上となったことに応じて、ステップＳ１６の判定処理により条件文番号「２６」を判定部１３により検出する。そして、現在提示している条件文番号「８」の優先度「Ｃ」よりも条件文番号「２６」の優先度「Ａ」が高く設定されているとステップＳ２０の判定処理で判定し、速度警報に切換提示をする（ステップＳ３５）。ここで、判定部１３では、通常の曲「１」を提示している最中に速度警報を提示した場合には、他の場面と比較して通常の曲を提示する頻度が高いために、提示していた通常の曲「１」を提示済であるとしてシステム状態設定情報を数値「１」に設定する。
【００９６】
速度警報を提示し終わると、演算部１２からの場面情報が通常状態であり、条件文番号「７」及び条件文番号「８」に含まれるシステム状態設定情報が数値「１」に設定されているので、条件文番号「９」に含まれる通常の曲「２」を提示する（ステップＳ３６）。
【００９７】
次の時刻ｔ４において、車両が海辺を走行していることを示す場面情報を演算部１２により生成して判定部１３により入力すると、
時刻ｔ４において演算部１２から場面が海辺走行であることを示す場面情報を判定部１３により入力し、場面が通常走行から海辺走行に遷移する。これに応じ、判定部１３により、条件文番号「４」を検出する。次いで、条件文番号「４」の次回シナリオ番号「３」及び次回シーン番号「１」から、判定部１３により条件文番号「１１」の海辺の語りかけを提示する（ステップＳ３７）。次いで、条件文番号「１２」の海辺の曲「１」を提示する（ステップＳ３８）。ここで、判定部１３は、場面が通常走行から海辺走行に遷移したことに応じて、情報提示データベースに含まれる各条件文のシステム状態設定情報の数値を「０」に設定する。
【００９８】
海辺走行のシナリオに含まれるシーンの海辺の曲「１」を提示している最中であって、時刻ｔ５で演算部１２からの速度情報により車両速度が１２０［ｋｍ／ｈ］以上となったことに応じて、ステップＳ１６の判定処理により条件文番号「２６」を判定部１３により検出すると、速度警報を提示する（ステップＳ３９）。ここで、判定部１３では、海辺の曲「１」を提示している最中に速度警報を提示した場合には、通常走行の場面と比較して海辺の曲「１」を提示する頻度が低いために、場面が海辺走行であるときに提示している海辺の曲「１」を未提示であるとしてシステム状態設定情報を数値「０」のまま保持する。
【００９９】
これにより、速度警報を提示した後には、条件文番号「１３」の警告後、海辺の曲「１」を提示し（ステップＳ４０）、続いて条件文番号「１４」の海辺の曲「２」を提示する（ステップＳ４１）。
【０１００】
時刻ｔ６において演算部１２から場面が高速走行であることを示す場面情報を判定部１３により入力し、場面が海辺走行から高速走行に遷移する。これに応じ、判定部１３により、条件文番号「５」の高速走行のシーンを検出し、次いで条件文番号「１７」の高速の語りかけを提示する（ステップＳ４２）。そして、条件文番号「１８」の海辺の曲「１」（ステップＳ４３）、条件文番号「１９」の海辺の曲「２」を提示する（ステップＳ４４）。
【０１０１】
時刻ｔ７において演算部１２から場面が通常走行であることを示す場面情報を判定部１３により入力し、場面が高速走行から通常走行に遷移する。これに応じ、判定部１３により、通常の語りかけを提示し（ステップＳ４５）、次いで通常の曲「１」を提示する（ステップＳ４６）。
【０１０２】
通常の曲「１」を提示している最中の時刻ｔ８において、演算部１２で生成した速度情報、加算データ（しきい値）及び現在加算データに基づいて、車両速度が３０［ｋｍ／ｈ］以下の状態が２００秒以上連続したことをステップＳ１８の判定処理により判定部１３で検出すると、判定部１３により条件文番号「２８」を検出する。そして、現在提示している条件文番号「１２」の優先度「Ｃ」よりも条件文番号「２８」の優先度「Ａ」が高く設定されているとステップＳ２０で判定し、渋滞警報を切換提示する。これにより、提示処理部１４は、図示しない外部からの交通情報を取得して提示する（ステップＳ４７）。
【０１０３】
ここで、車両速度が３０［ｋｍ／ｈ］以下の状態で、２００秒に達する前に車両速度が４０［ｋｍ／ｈ］以上となったときには、判定部１３は、現在加算データの加算を初期化する。
【０１０４】
交通情報の提示が終了すると、通常の曲「２」を提示する（ステップＳ４８）。そして、時刻ｔ９において車両が交差点に進入すると、交差点走行であることを示す場面情報を演算部１２で生成し、判定部１３で入力する。これに応じ、判定部１３によりステップＳ１５の判定処理を行うことにより、条件文番号「２７」を検出して判定結果を提示処理部１４に出力する。これに応じ、提示処理部１４では、提示していた通常の曲「２」についてミュートを実行する音響出力部６を制御する（ステップＳ４９）。
【０１０５】
そして、車両が交差点から抜けると、通常走行であることを示す場面情報を演算部１２により生成して判定部１３により入力する。これに応じ、判定部１３により再度条件文番号「９」を検出して判定結果を提示処理部１４に出力し、提示処理部１４では、ミュートを解除して通常の曲「２」を提示するように音響出力部６を制御する（ステップＳ５０）。
【０１０６】
次の時刻ｔ１０において、現在位置情報と図示しないナビゲーションシステムによる経路設定情報とから、演算部１２により車両が目的地の到着前であると判定したことによる場面情報を生成し、判定部１３により入力する。これに応じ、判定部１３により条件文番号「６」の到着前のシーンを検出し、次いで条件文番号「２３」の到着前の語りかけ「１」を提示する（ステップＳ５１）。そして、条件文番号「２４」の到着前の曲「１」を提示する（ステップＳ５２）。到着前の曲「１」の提示が終了すると、次に判定部１３により条件文番号「２５」を検出して判定結果を提示処理部１４に出力する。これに応じ、提示処理部１４では、到着前の語りかけ「２」を提示する（ステップＳ５３）。
【０１０７】
［実施の形態の効果］
以上、詳細に説明したように、本実施形態に係る情報提供装置によれば、提示データ、場面情報、速度情報を対応付けした情報提示データベースをデータベース記憶部３に記憶し、演算部１２により速度情報及び場面情報を生成し、情報提示データベースとの比較を判定部１３により行って最適な提示データを検出することができ、多種の情報を様々な状態に応じて情報提示をすることができる。また、この情報提供装置によれば、次回シナリオ番号情報、次回シーン番号情報を情報提示データベースに格納してデータベース記憶部３に記憶し、車両速度及び場面に応じたシナリオ及びシーンを逐次繰り返し提示、又は切り換え提示することができる。
【０１０８】
したがって、この情報提供装置によれば、様々な情報を提示するに際して複雑なプログラムを実装して複雑な処理を行う必要が無く、情報提示データベースを参照した簡単な提示データ判定処理を判定部１３で行って、様々な状態に応じて異なる情報提示をすることができる。
【０１０９】
更に、この情報提供装置によれば、速度情報として、判定値と調整値との２つのカテゴリを設けることにより、情報提示の判定をするに際して、演算部１２で生成する速度情報と記憶した判定値との大小関係を調整値により設定することができるので、車両速度について様々な条件を設定して情報提示をすることができる。
【０１１０】
更にまた、この情報提供装置によれば、各条件文について優先度を設けた情報提示データベースをデータベース記憶部３に記憶したので、判定部１３により複数の条件文を検出した場合であっても、優先度に従って一の条件文を選択することができ、警報等の情報を優先的に提示することができる。
【０１１１】
更にまた、この情報提供装置によれば、各条件文について現在加算データ、加算データ（しきい値）を設けた情報提示データベースをデータベース記憶部３に記憶したので、例えば所定速度以下が所定時間以上継続した状態などの場面において渋滞情報等を最適なタイミングで提示することができる。
【０１１２】
更にまた、この情報提供装置によれば、システム状態情報及びシステム状態設定情報を設けた情報提示データベースをデータベース記憶部３に記憶し、システム状態設定情報を判定部１３により設定可能にすることで、例えばシナリオを提示している最中に警報を提示した後の次の提示内容を調整することができる。すなわち、この情報提供装置によれば、図５を参照して説明したように、場面に応じて警報提示後に提示する情報を異なる情報とすることができ、繰り返し提示又は切換提示する内容を調整することができる。
【０１１３】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【図１】本発明を適用した情報提供装置の構成を示すブロック図である。
【図２】情報提示データベースの構成を示す図である。
【図３】本発明を適用した情報提供装置による処理を説明するフローチャートである。
【図４】本発明を適用した情報提供装置による提示データ判定処理の処理手順を示すフローチャートである。
【図５】本発明を適用した情報提供装置による情報提示例の手順を示す図である。
【符号の説明】
１  位置検出部
２  速度検出部
３  データベース記憶部
４  情報提示判定部
５  表示部
６  音響出力部
７  操作入力部
１１  入力部
１２  演算部
１３  判定部
１４  提示処理部
【図１】
0004099977.tif 000002
【図２】
0004099977.tif 000003
【図３】
0004099977.tif 000004
【図４】
0004099977.tif 000005
【図５】
0004099977.tif 000006